(57)【特許請求の範囲】
【請求項１】
有価媒体の処理を行う処理部と、
複数の操作部と、
各前記操作部で異なる操作者による操作権限が承認されたときに、一方の前記操作部による操作内容に、他方の前記操作部による操作内容を反映させることができるよう前記処理部の制御を行う制御部と、
を備え、
各前記操作部によって、前記処理部により処理されるべき有価媒体の情報を入力することができるようになっており、
各前記操作部は、それぞれ異なる操作者が同時に操作することができるよう構成されている、有価媒体処理装置。
【請求項２】
前記制御部は、一方の前記操作部による入力結果と、他方の前記操作部による入力結果とを統合するようになっている、請求項１記載の有価媒体処理装置。
【請求項３】
前記制御部は、統合された入力結果に基づいて有価媒体の処理を行うよう前記処理部を制御する、請求項２記載の有価媒体処理装置。
【請求項４】
前記制御部は、一方の前記操作部による入力動作が開始されたときに、他方の前記操作部による入力動作の完了の指令が受け付けられないと、一方の前記操作部による入力動作を完了させることができないようになっている、請求項２または３記載の有価媒体処理装置。
【請求項５】
前記制御部は、一方の前記操作部による入力動作が開始されたときに、他方の前記操作部による入力動作の途中で一方の前記操作部による入力動作が完了すると、他方の前記操作部による入力動作が完了した後に一方の前記操作部による入力結果と他方の前記操作部による入力結果とを統合するようになっている、請求項２または３記載の有価媒体処理装置。
【請求項６】
一方の前記操作部により有価媒体の入金処理の指示を行った場合に、他方の前記操作部により、一方の前記操作部により指示された入金処理の結果を承認することができるようになっている、請求項１記載の有価媒体処理装置。
【請求項７】
筐体の内部に投入された有価媒体の画像を表示する表示部を更に備え、
他方の前記操作部により、前記表示部に表示される有価媒体の画像に関連する入金処理の結果の承認を行うことができるようになっている、請求項６記載の有価媒体処理装置。
【請求項８】
前記制御部において、他方の前記操作部により入金処理の結果が承認された場合には、一方の前記操作部により指示された有価媒体の入金処理の結果が確定するようになっている、請求項６または７記載の有価媒体処理装置。
【請求項９】
前記制御部において、他方の前記操作部により入金処理の結果が承認されなかった場合には、一方の前記操作部により指示された有価媒体の入金処理の結果が確定しないようになっている、請求項６または７記載の有価媒体処理装置。
【請求項１０】
有価媒体の処理を行う処理部および複数の操作部を有する有価媒体処理装置と、
前記有価媒体処理装置とは別に設けられ、当該有価媒体処理装置の管理を行う管理装置と、
を備えた有価媒体処理システムであって、
前記有価媒体処理装置の各前記操作部で異なる操作者による操作権限が承認されたときに、一方の前記操作部による操作内容に、他方の前記操作部による操作内容を反映させることができるよう前記処理部の制御を行う制御部を備え、
前記有価媒体処理装置の各前記操作部によって、前記処理部により処理されるべき有価媒体の情報を入力することができるようになっており、
前記有価媒体処理装置の各前記操作部は、それぞれ異なる操作者が同時に操作することができるよう構成されている、有価媒体処理システム。
【請求項１１】
前記制御部は前記管理装置に設けられている、請求項１０記載の有価媒体処理システム。
【請求項１２】
有価媒体の処理を行う処理部を有する有価媒体処理装置と、
各々が前記有価媒体処理装置とは別に設けられ、当該有価媒体処理装置の操作を行うための複数の操作部と、
を備えた有価媒体処理システムであって、
各前記操作部で異なる操作者による操作権限が承認されたときに、一方の前記操作部による操作内容に、他方の前記操作部による操作内容を反映させることができるよう前記処理部の制御を行う制御部を備え、
各前記操作部によって、前記処理部により処理されるべき有価媒体の情報を入力することができるようになっており、
各前記操作部は、それぞれ異なる操作者が同時に操作することができるよう構成されている、有価媒体処理システム。
【発明の詳細な説明】
【技術分野】
【０００１】
本発明は、貨幣等の有価媒体の処理を行う有価媒体処理装置およびこのような有価媒体処理装置を備えた有価媒体処理システムに関する。
【背景技術】
【０００２】
バラ紙幣、バラ硬貨、帯封紙幣、包装硬貨等の貨幣を筐体の内部に収納するとともに、出金要求に基づいて所定の貨幣を出金するような貨幣処理装置として、従来から様々なタイプのものが知られている（例えば、特許文献１等参照）。従来の貨幣処理装置では、所定の金額の貨幣（例えば、バラ紙幣やバラ硬貨）がそれぞれ収納されている多数の封筒を用意するために多くの回数の出金処理が必要になる場合に備えて、多数（例えば、１０件以上）の伝票の情報を前もって入力しておいて各封筒にそれぞれ収納されるべき出金貨幣を払い出しておくような動作が行われることがある。また、従来の貨幣処理装置において損券や旧券の入金処理を行う場合には、営業時間内に係員が入金処理を行い、締め処理時に管理者等の上位者が入金処理の承認を行うようになっている。
【先行技術文献】
【特許文献】
【０００３】
【特許文献１】特開２０１５−０９４９８７号公報
【発明の概要】
【発明が解決しようとする課題】
【０００４】
従来の貨幣処理装置では、多数の伝票の情報を入力する際に、一人の操作者によって一つの操作部で入力を行った場合には入力作業に時間がかかり、また、入力作業を行っている間は他の操作者が当該操作部で他の操作を行うことができないという問題があった。また、従来の貨幣処理装置において損券や旧券の入金処理を行う際に、営業時間内に係員が入金処理を行い、締め処理時に管理者等の上位者が入金処理の承認を行う場合に、上位者が入金処理の承認を行うにあたり入金処理を担当した係員に確認した事項が発生したときに当該係員を呼び出す必要があるため操作性が悪いという問題があった。
【０００５】
本発明は、このような点を考慮してなされたものであり、複数の操作者が異なる操作部で同時に操作を行うことにより、処理時間を短縮したり操作性を向上させたりすることができる有価媒体処理装置および有価媒体処理システムを提供することを目的とする。
【課題を解決するための手段】
【０００６】
本発明の有価媒体処理装置は、有価媒体の処理を行う処理部と、複数の操作部と、各前記操作部で異なる操作者による操作権限が承認されたときに、一方の前記操作部による操作内容に、他方の前記操作部による操作内容を反映させることができるよう前記処理部の制御を行う制御部と、を備え、各前記操作部によって、前記処理部により処理されるべき有価媒体の情報を入力することができるようになっており、各前記操作部は、それぞれ異なる操作者が同時に操作することができるよう構成されていることを特徴とする。
【０００７】
このような有価媒体処理装置によれば、各操作部で異なる操作者による操作権限が承認されたときに、一方の操作部による操作内容に、他方の操作部による操作内容を反映させることができるようになっているため、複数の操作者が異なる操作部で同時に操作を行うことができ、よって処理時間を短縮したり操作性を向上させたりすることができる。
【０００８】
本発明の有価媒体処理装置においては、前記制御部は、一方の前記操作部による入力結果と、他方の前記操作部による入力結果とを統合するようになっていてもよい。
【０００９】
この場合、前記制御部は、統合された入力結果に基づいて有価媒体の処理を行うよう前記処理部を制御するようになっていてもよい。
【００１０】
また、前記制御部は、一方の前記操作部による入力動作が開始されたときに、他方の前記操作部による入力動作の完了の指令が受け付けられないと、一方の前記操作部による入力動作を完了させることができないようになっていてもよい。
【００１１】
また、前記制御部は、一方の前記操作部による入力動作が開始されたときに、他方の前記操作部による入力動作の途中で一方の前記操作部による入力動作が完了すると、他方の前記操作部による入力動作が完了した後に一方の前記操作部による入力結果と他方の前記操作部による入力結果とを統合するようになっていてもよい。
【００１２】
本発明の有価媒体処理装置においては、一方の前記操作部により有価媒体の入金処理の指示を行った場合に、他方の前記操作部により、一方の前記操作部により指示された入金処理の結果を承認することができるようになっていてもよい。
【００１３】
この場合、本発明の有価媒体処理装置は、筐体の内部に投入された有価媒体の画像を表示する表示部を更に備え、他方の前記操作部により、前記表示部に表示される有価媒体の画像に関連する入金処理の結果の承認を行うことができるようになっていてもよい。
【００１４】
また、前記制御部において、他方の前記操作部により入金処理の結果が承認された場合には、一方の前記操作部により指示された有価媒体の入金処理の結果が確定するようになっていてもよい。
【００１５】
また、前記制御部において、他方の前記操作部により入金処理の結果が承認されなかった場合には、一方の前記操作部により指示された有価媒体の入金処理の結果が確定しないようになっていてもよい。
【００１６】
本発明の有価媒体処理システムは、有価媒体の処理を行う処理部および複数の操作部を有する有価媒体処理装置と、前記有価媒体処理装置とは別に設けられ、当該有価媒体処理装置の管理を行う管理装置と、を備えた有価媒体処理システムであって、前記有価媒体処理装置の各前記操作部で異なる操作者による操作権限が承認されたときに、一方の前記操作部による操作内容に、他方の前記操作部による操作内容を反映させることができるよう前記処理部の制御を行う制御部を備え、前記有価媒体処理装置の各前記操作部によって、前記処理部により処理されるべき有価媒体の情報を入力することができるようになっており、前記有価媒体処理装置の各前記操作部は、それぞれ異なる操作者が同時に操作することができるよう構成されていることを特徴とする。
【００１７】
このような有価媒体処理システムによれば、有価媒体処理装置において各操作部で異なる操作者による操作権限が承認されたときに、一方の操作部による操作内容に、他方の操作部による操作内容を反映させることができるようになっているため、複数の操作者が異なる操作部で同時に操作を行うことができ、よって有価媒体処理装置において処理を行う際に処理時間を短縮したり操作性を向上させたりすることができる。
【００１８】
本発明の有価媒体処理システムにおいては、前記制御部は前記管理装置に設けられていてもよい。
【００１９】
本発明の有価媒体処理システムは、有価媒体の処理を行う処理部を有する有価媒体処理装置と、各々が前記有価媒体処理装置とは別に設けられ、当該有価媒体処理装置の操作を行うための複数の操作部と、を備えた有価媒体処理システムであって、各前記操作部で異なる操作者による操作権限が承認されたときに、一方の前記操作部による操作内容に、他方の前記操作部による操作内容を反映させることができるよう前記処理部の制御を行う制御部を備え、各前記操作部によって、前記処理部により処理されるべき有価媒体の情報を入力することができるようになっており、各前記操作部は、それぞれ異なる操作者が同時に操作することができるよう構成されていることを特徴とする。
【００２０】
このような有価媒体処理システムによれば、有価媒体処理装置とは別に設けられた各操作部で異なる操作者による操作権限が承認されたときに、一方の操作部による操作内容に、他方の操作部による操作内容を反映させることができるようになっているため、複数の操作者が異なる操作部で同時に操作を行うことができ、よって有価媒体処理装置において処理を行う際に処理時間を短縮したり操作性を向上させたりすることができる。
【発明の効果】
【００２１】
本発明の有価媒体処理装置および有価媒体処理システムによれば、複数の操作者が異なる操作部で同時に操作を行うことにより、処理時間を短縮したり操作性を向上させたりすることができる。
【図面の簡単な説明】
【００２２】
【図１】本発明の実施の形態による有価媒体処理装置の外観を示す斜視図である。
【図２】図１に示す有価媒体処理装置におけるバラ紙幣処理ユニットの内部構成を示す側面図である。
【図３】図１に示す有価媒体処理装置における帯封紙幣処理ユニットの内部構成を示す側面図である。
【図４】図１に示す有価媒体処理装置における損券処理ユニットの内部構成を示す側面図である。
【図５】図１に示す有価媒体処理装置における制御系の構成を示す機能ブロック図である。
【図６】図１に示す有価媒体処理装置において２人の操作者が袋金準備処理を分担して行う際の動作の一例を示すフローチャートである。
【図７】図１に示す有価媒体処理装置において２人の操作者が袋金準備処理を分担して行う際に第１の操作表示部や第２の操作表示部に表示される画面を示す図である。
【図８】図１に示す有価媒体処理装置において２人の操作者が袋金準備処理を分担して行う際に第１の操作表示部や第２の操作表示部に表示される画面を示す図である。
【図９】図１に示す有価媒体処理装置において２人の操作者が袋金準備処理を分担して行う際の動作の他の例を示すフローチャートである。
【図１０】図１に示す有価媒体処理装置において担当者が損券処理ユニットに損券を入金した後に管理者により損券の入金処理の結果の承認を行う際の動作を示すフローチャートである。
【図１１】図１に示す有価媒体処理装置において担当者が損券処理ユニットに損券を入金した後に管理者により損券の入金処理の結果の承認を行う際に第１の操作表示部に表示される画面を示す図である。
【図１２】図１に示す有価媒体処理装置において担当者が損券処理ユニットに損券を入金した後に管理者により損券の入金処理の結果の承認を行う際に第１の操作表示部に表示される画面を示す図である。
【図１３】図１に示す有価媒体処理装置において担当者が損券処理ユニットに損券を入金した後に管理者により損券の入金処理の結果の承認を行う際に第１の操作表示部に表示される画面を示す図である。
【図１４】図１に示す有価媒体処理装置において担当者が損券処理ユニットに損券を入金した後に管理者により損券の入金処理の結果の承認を行う際に第２の操作表示部に表示される画面を示す図である。
【図１５】図１に示す有価媒体処理装置において担当者が損券処理ユニットに損券を入金した後に管理者により損券の入金処理の結果の承認を行う際に第２の操作表示部に表示される画面を示す図である。
【図１６】（ａ）（ｂ）は、図１に示す有価媒体処理装置において第２の操作表示部を上側後方に開く動作を示す斜視図である。
【図１７】図１に示す有価媒体処理装置に設けられたジャーナルプリンタの内部構成を示す側面図である。
【図１８】従来のジャーナルプリンタの内部構成を示す側面図である。
【発明を実施するための形態】
【００２３】
以下、図面を参照して本発明の実施の形態について説明する。図１乃至図１５は、本実施の形態に係る有価媒体処理装置を示す図である。このうち、図１は、本実施の形態による有価媒体処理装置の外観を示す斜視図であり、図２、図３および図４は、それぞれ、図１に示す有価媒体処理装置におけるバラ紙幣処理ユニット、帯封紙幣処理ユニットおよび損券処理ユニットの内部構成を示す側面図である。また、図５は、図１に示す有価媒体処理装置における制御系の構成を示す機能ブロック図である。また、図６は、図１に示す有価媒体処理装置において２人の操作者が袋金準備処理を分担して行う際の動作の一例を示すフローチャートであり、図７および図８は、それぞれ、図１に示す有価媒体処理装置において２人の操作者が袋金準備処理を分担して行う際に第１の操作表示部や第２の操作表示部に表示される画面を示す図である。また、図９は、図１に示す有価媒体処理装置において２人の操作者が袋金準備処理を分担して行う際の動作の他の例を示すフローチャートである。また、図１０は、図１に示す有価媒体処理装置において担当者が損券処理ユニットに損券を入金した後に管理者により損券の入金処理の結果の承認を行う際の動作を示すフローチャートであり、図１１乃至図１５は、それぞれ、図１に示す有価媒体処理装置において担当者が損券処理ユニットに損券を入金した後に管理者により損券の入金処理の結果の承認を行う際に第１の操作表示部や第２の操作表示部に表示される画面を示す図である。
【００２４】
本実施の形態による有価媒体処理装置１は、銀行等の金融機関において出納機として用いられるものである。図１に示すように、本実施の形態による有価媒体処理装置１は、バラ紙幣処理ユニット１００と、帯封紙幣処理ユニット２００と、損券処理ユニット３００と、バラ硬貨処理ユニット４００と、包装硬貨処理ユニット５００と、損貨処理ユニット６００とを備えている。より詳細には、バラ紙幣処理ユニット１００、帯封紙幣処理ユニット２００、損券処理ユニット３００、バラ硬貨処理ユニット４００および包装硬貨処理ユニット５００は左右に並ぶよう配置されており、損貨処理ユニット６００は損券処理ユニット３００の上に載せられている。ここで、バラ紙幣処理ユニット１００は、バラ紙幣の入金処理および出金処理を行うようになっており、帯封紙幣処理ユニット２００は帯封紙幣の出金処理を行うようになっている。より詳細には、バラ紙幣処理ユニット１００の筐体１０２（後述）の内部に投入されたバラ紙幣は帯封紙幣処理ユニット２００に送られるようになっており、当該帯封紙幣処理ユニット２００においてバラ紙幣処理ユニット１００から送られたバラ紙幣の帯封処理が行われることにより帯封紙幣が作成され、この作成された帯封紙幣が帯封紙幣処理ユニット２００の筐体２０２（後述）の内部に収納されるようになっている。また、損券処理ユニット３００は、損券や旧券、および紙幣以外の有価媒体（例えば、小切手や手形等）の入金処理や、新券の出金処理を行うようになっている。
【００２５】
また、バラ硬貨処理ユニット４００は、バラ硬貨の入金処理および出金処理を行うようになっており、包装硬貨処理ユニット５００は包装硬貨の出金処理を行うようになっている。より詳細には、バラ硬貨処理ユニット４００の筐体の内部に投入されたバラ硬貨は包装硬貨処理ユニット５００に送られるようになっており、当該包装硬貨処理ユニット５００においてバラ硬貨処理ユニット４００から送られたバラ硬貨の包装処理が行われることにより包装硬貨が作成され、この作成された包装硬貨が包装硬貨処理ユニット５００の筐体の内部に収納されるようになっている。また、損貨処理ユニット６００は、損貨や旧貨、および記念貨の入金処理を行うようになっている。
【００２６】
なお、本発明では、これらの各処理ユニット１００、２００、３００、４００、５００、６００は、有価媒体の処理を行う処理部として機能するようになっている。
【００２７】
また、図１に示すように、本実施の形態による有価媒体処理装置１には、それぞれタッチパネル等から構成される第１の操作表示部１２および第２の操作表示部１４と、第１のプリンタ１６および第２のプリンタ１８とがそれぞれ設けられている。より詳細には、第１の操作表示部１２は帯封紙幣処理ユニット２００の上に載せられており、第２の操作表示部１４は包装硬貨処理ユニット５００の上に載せられている。また、第１のプリンタ１６はバラ紙幣処理ユニット１００の上に載せられており、第２のプリンタ１８はバラ硬貨処理ユニット４００の上に載せられている。これらの第１のプリンタ１６および第２のプリンタ１８は、それぞれ、前面に設けられた挿入口を介して内部に入れられた伝票に様々な情報を印字するスリッププリンタ等から構成されている。このような有価媒体処理装置１の詳細について以下に説明する。なお、本実施の形態による有価媒体処理装置１を説明するにあたり、バラ硬貨処理ユニット４００、包装硬貨処理ユニット５００および損貨処理ユニット６００の詳細の説明については省略する。
【００２８】
まず、バラ紙幣処理ユニット１００の構成の詳細について図２を用いて説明する。図２は、バラ紙幣処理ユニット１００を側方から見たときの内部構成を示す側面図である。なお、図２における筐体１０２（後述）の左側の側面がバラ紙幣処理ユニット１００の前面側（すなわち、バラ紙幣処理ユニット１００を手前側から見たときの正面側）となっており、図２における右方向が筐体１０２の奥行き方向となっている。
【００２９】
図２に示すように、バラ紙幣処理ユニット１００は略直方体形状の筐体１０２を備えており、このバラ紙幣処理ユニット１００には、外部から筐体１０２内に紙幣を投入するための紙幣投入部１１０および筐体１０２内から外部にバラ紙幣を投出するためのバラ紙幣投出部１５２がそれぞれ設けられている。紙幣投入部１１０には紙幣繰出部１１２が設けられており、外部から紙幣投入部１１０に投入された紙幣は紙幣繰出部１１２により１枚ずつ筐体１０２内に繰り出されるようになっている。また、紙幣繰出部１１２には入金搬送部１１４が接続されており、紙幣繰出部１１２により筐体１０２内に繰り出された紙幣は入金搬送部１１４により１枚ずつ搬送されるようになっている。ここで、入金搬送部１１４には入金識別部１１６が設けられており、入金搬送部１１４により搬送される紙幣は入金識別部１１６によりその金種、真偽、正損、新旧、表裏、搬送状態等が識別されるようになっている。また、入金搬送部１１４による紙幣の搬送方向における入金識別部１１６の下流側には表裏反転部１１８が設けられており、入金識別部１１６により識別された紙幣は表裏反転部１１８によりその表裏が整えられるようになっている。具体的には、表裏反転部１１８に送られた紙幣のうち、例えば裏面が上側となっている紙幣のみの表裏が反転されることにより、この表裏反転部１１８から出された紙幣は全て表面（おもてめん）が上側となるようになる。また、入金搬送部１１４には入金リジェクト部１２０が接続されており、入金識別部１１６により正常な紙幣ではないと識別された紙幣、すなわちリジェクト紙幣が入金搬送部１１４から入金リジェクト部１２０に送られるようになっている。入金リジェクト部１２０はバラ紙幣処理ユニット１００の筐体１０２の外部からアクセス可能となっており、操作者はこの入金リジェクト部１２０に集積されたリジェクト紙幣を手動で取り出すことができるようになっている。
【００３０】
また、図２に示すように、入金搬送部１１４には１つの一括一時保留部１３０と、複数（例えば４つ）の金種別一時保留部１３２とがそれぞれ接続されている。ここで、１つの一括一時保留部１３０および複数の金種別一時保留部１３２は入金搬送部１１４や後述する下部搬送部１４６に対して並列に並ぶよう配設されている。入金搬送部１１４から一括一時保留部１３０や各金種別一時保留部１３２に搬送された紙幣は、これらの一括一時保留部１３０や各金種別一時保留部１３２において積層状態で集積されることにより一時的に保留されるようになっている。なお、一括一時保留部１３０には複数の金種の紙幣が混合状態で一時的に保留されるようになっており、また、各金種別一時保留部１３２にはそれぞれ特定の金種の紙幣が一時的に保留されるようになっている。また、一括一時保留部１３０に対応して１つの一括紙幣収納庫１４０が設けられているとともに、各金種別一時保留部１３２に対応して複数の金種別紙幣収納庫１４２が設けられている。一括紙幣収納庫１４０には、一括一時保留部１３０から送られた紙幣が積層状態で収納されるようになっている。また、各金種別紙幣収納庫１４２には、対応する金種別一時保留部１３２から送られた紙幣が積層状態で収納されるようになっている。なお、一括紙幣収納庫１４０には複数の金種の紙幣が混合状態で収納されるようになっており、また、各金種別紙幣収納庫１４２にはそれぞれ特定の金種の紙幣が収納されるようになっている。また、一括紙幣収納庫１４０および各金種別紙幣収納庫１４２にはそれぞれ紙幣繰出部１４４が設けられており、これらの一括紙幣収納庫１４０および各金種別紙幣収納庫１４２から紙幣が１枚ずつ紙幣繰出部１４４により繰り出されるようになっている。
【００３１】
また、図２に示すように、各紙幣繰出部１４４には下部搬送部１４６が接続されており、各紙幣繰出部１４４により一括紙幣収納庫１４０や各金種別紙幣収納庫１４２から繰り出された紙幣は下部搬送部１４６により１枚ずつ搬送されるようになっている。ここで、下部搬送部１４６には出金識別部１４８が接続されており、下部搬送部１４６により搬送される紙幣は出金識別部１４８によりその金種、真偽、正損、新旧、表裏、搬送状態等が識別されるようになっている。なお、出金識別部１４８は、紙幣の金種および搬送状態のみの識別を行い、紙幣の真偽、正損、新旧、表裏の識別は行わないようになっていてもよい。また、出金識別部１４８には出金搬送部１５０が接続されており、この出金識別部１４８により識別された紙幣は出金搬送部１５０により１枚ずつ搬送されるようになっている。
【００３２】
図２に示すように、出金搬送部１５０にはバラ紙幣投出部１５２、出金リジェクト部１５４、２つの整理一時保留部１６０がそれぞれ接続されており、出金識別部１４８により識別された紙幣のうち、筐体１０２の外部に投出されるべき紙幣は出金搬送部１５０によりバラ紙幣投出部１５２に送られてこのバラ紙幣投出部１５２に集積されるようになっている。バラ紙幣投出部１５２はバラ紙幣処理ユニット１００の筐体１０２の外部からアクセス可能となっており、操作者はこのバラ紙幣投出部１５２に集積された紙幣を手動で取り出すことができるようになっている。また、出金識別部１４８により正常な紙幣ではないと識別された紙幣、すなわちリジェクト紙幣は出金搬送部１５０により出金リジェクト部１５４に送られるようになっている。また、出金リジェクト部１５４に集積されたリジェクト紙幣を取り出すにあたり、操作者はバラ紙幣処理ユニット１００の筐体１０２に設けられた扉を開いて出金リジェクト部１５４内のリジェクト紙幣を取り出すようになっている。また、出金識別部１４８により識別された紙幣のうち、帯封紙幣処理ユニット２００により帯封されるべき紙幣は出金搬送部１５０により各整理一時保留部１６０に送られるようになっている。各整理一時保留部１６０では、出金搬送部１５０から送られた紙幣が積層状態で集積されるようになっている。また、図２に示すように、出金識別部１４８により識別された紙幣を出金搬送部１５０により表裏反転部１１８に送ることができるようになっており、出金搬送部１５０により表裏反転部１１８に送られた紙幣は入金搬送部１１４により一括一時保留部１３０や各金種別一時保留部１３２に搬送されるようになっている。
【００３３】
図２に示すように、入金搬送部１１４や出金搬送部１５０における分岐箇所には分岐部材１７０がそれぞれ設けられており、これらの分岐部材１７０により分岐箇所における紙幣の搬送先が決められるようになっている。また、入金搬送部１１４、下部搬送部１４６、出金搬送部１５０には紙幣の検出を行う紙幣検出センサ１８０が複数設けられている。また、本実施の形態では、出金搬送部１５０における、出金識別部１４８と各整理一時保留部１６０との間には、紙幣厚さ検知センサ１８２および半券検知センサ１８４がそれぞれ設けられている。また、半券検知センサ１８４は、バラ紙幣投出部１５２への入口部分である出金搬送部１５０にも設けられている。
【００３４】
次に、帯封紙幣処理ユニット２００の構成の詳細について図３を用いて説明する。図３は、帯封紙幣処理ユニット２００を側方から見たときの内部構成を示す側面図である。なお、図３における筐体２０２（後述）の左側の側面が帯封紙幣処理ユニット２００の前面側（すなわち、帯封紙幣処理ユニット２００を手前側から見たときの正面側）となっており、図３における右方向が筐体２０２の奥行き方向となっている。
【００３５】
図３に示すように、帯封紙幣処理ユニット２００は略直方体形状の筐体２０２を備えており、この帯封紙幣処理ユニット２００の筐体２０２内には、整理一時保留部１６０に集積された紙幣の束を取り出すためのアーム部２１０と、アーム部２１０により取り出された紙幣の束を帯封するための帯封部２１２とがそれぞれ設けられている。アーム部２１０により整理一時保留部１６０から取り出された紙幣の束は帯封部２１２に送られて当該帯封部２１２により帯封されるようになっている。具体的には、帯封部２１２の近傍にはテープセット部２１４が設けられており、このテープセット部２１４から帯封紙が帯封部２１２に送られることによって、帯封部２１２において例えば１００枚の紙幣の束が帯封紙により結束されるようになっている。帯封部２１２には帯封紙幣搬送部２１６が接続されており、帯封部２１２により帯封された帯封紙幣は帯封紙幣搬送部２１６により帯封紙幣投出部２１８に搬送されるようになっている。帯封紙幣投出部２１８は帯封紙幣処理ユニット２００の筐体２０２の外部からアクセス可能となっており、操作者はこの帯封紙幣投出部２１８に送られた帯封紙幣を手動で取り出すことができるようになっている。
【００３６】
また、図３に示すように、帯封紙幣投出部２１８には帯封紙幣収納出金用搬送部２２０やリフト部２２４が接続されている。帯封紙幣収納出金用搬送部２２０には帯封紙幣判別部２２２が設けられており、この帯封紙幣判別部２２２は、帯封紙幣投出部２１８から帯封紙幣収納出金用搬送部２２０に送られた帯封紙幣の金種等の判別を行うようになっている。また、帯封紙幣収納出金用搬送部２２０には複数の帯封紙幣収納カセット２３０が接続されており、帯封部２１２により帯封された帯封紙幣のうち、帯封紙幣投出部２１８により筐体２０２の外部に投出されない帯封紙幣は帯封紙幣収納出金用搬送部２２０により各帯封紙幣収納カセット２３０に金種別に収納されるようになっている。また、各帯封紙幣収納カセット２３０にはカセット駆動部２３２が設けられており、これらのカセット駆動部２３２により、各帯封紙幣収納カセット２３０に収納された帯封紙幣が帯封紙幣収納出金用搬送部２２０に繰り出されるようになっている。各帯封紙幣収納カセット２３０から帯封紙幣収納出金用搬送部２２０に繰り出された帯封紙幣は帯封紙幣投出部２１８に送られ、この帯封紙幣投出部２１８から筐体２０２の外部に投出される。また、帯封紙幣搬送部２１６から帯封紙幣投出部２１８に送られた帯封紙幣はリフト部２２４により図３における上下方向に搬送可能となっている。ここで、リフト部２２４の下部にも回収用の開口２２６が設けられており、リフト部２２４により下部に搬送された帯封紙幣はこの開口２２６から筐体２０２の外部に投出可能となっている。
【００３７】
次に、損券処理ユニット３００の構成の詳細について図４を用いて説明する。図４は、損券処理ユニット３００を側方から見たときの内部構成を示す側面図である。なお、図４における筐体３０２（後述）の左側の側面が損券処理ユニット３００の前面側（すなわち、損券処理ユニット３００を手前側から見たときの正面側）となっており、図４における右方向が筐体３０２の奥行き方向となっている。
【００３８】
図４に示すように、損券処理ユニット３００は略直方体形状の筐体３０２を備えており、この筐体３０２の前面上部には、当該筐体３０２の外部から内部に有価媒体を投入するための投入部３１０が設けられている。また、筐体３０２の前面には、筐体３０２の内部に収納された新券を機体外に投出するための投出部３６０が設けられている。また、投入部３１０には繰出機構３１２が設けられており、操作者によって投入部３１０に集積状態で投入された有価媒体は繰出機構３１２により機体内に１枚ずつ繰り出されるようになっている。図４に示すように、損券処理ユニット３００の機体内には搬送部３１４が設けられており、繰出機構３１２により１枚ずつ投入部３１０から繰り出された有価媒体は搬送部３１４により１枚ずつ搬送されるようになっている。
【００３９】
また、搬送部３１４には撮像部３１６が設けられており、この撮像部３１６は、損券処理ユニット３００の機体内に投入された有価媒体を撮像して画像データを得るようになっている。また、搬送部３１４には一時保留部３２０が設けられており、損券処理ユニット３００の機体内に投入された有価媒体は一時保留部３２０に一時的に保留されるようになっている。一時保留部３２０はテープ巻取方式のものからなる。より具体的には、一時保留部３２０は、正逆両方向に回転可能なドラム３２０ａを有しており、このドラム３２０ａに一対のテープが巻き取られるようになっている。そして、搬送部３１４から一時保留部３２０に送られた有価媒体は、この一対のテープの間に挟まれた状態で１枚ずつ順次ドラム３２０ａにより巻き取られて収納されるようになっている。また、ドラム３２０ａを逆転させると、巻き取られた有価媒体が１枚ずつ繰り出されて、搬送部３１４に送られるようになっている。
【００４０】
また、損券処理ユニット３００の機体内には、小切手や手形等の特定の有価証券を収納する特定有価証券収納部３３０と、損券や旧券を収納する損券収納部３４０、３４２とがそれぞれ設けられている。より具体的には、特定有価証券収納部３３０は、第１の収納部３３０ａ、第２の収納部３３０ｂおよび第３の収納部３３０ｃからなる３つの収納部から構成されており、第１の収納部３３０ａには、有価媒体処理装置１が設置されている金融機関と同じ金融機関における他の支店で発行された小切手等が収納されるようになっている。また、第２の収納部３３０ｂや第３の収納部３３０ｃには、有価媒体処理装置１が設置されている金融機関とは異なる金融機関で発行された小切手等が収納されるようになっている。また、特定有価証券収納部３３０の各収納部３３０ａ、３３０ｂ、３３０ｃはそれぞれスタッカ方式のものからなり、搬送部３１４からこれらの収納部３３０ａ、３３０ｂ、３３０ｃに送られた小切手等は、既に収納部３３０ａ、３３０ｂ、３３０ｃに収納されている小切手等の上に積み重ねられるようになっている。
【００４１】
損券収納部３４０、３４２には損券や旧券が収納されるようになっている。ここで、損券収納部３４０はスタッカ方式のものからなり、搬送部３１４から損券収納部３４０に送られた損券や旧券は、既に損券収納部３４０に収納されている損券や旧券の上に積み重ねられるようになっている。一方、損券収納部３４２はテープ巻取方式のものからなる。より具体的には、損券収納部３４２は、正逆両方向に回転可能なドラム３４２ａを有しており、このドラム３４２ａに一対のテープが巻き取られるようになっている。そして、搬送部３１４から損券収納部３４２に送られた損券や旧券は、この一対のテープの間に挟まれた状態で１枚ずつ順次ドラム３４２ａにより巻き取られて収納されるようになっている。また、ドラム３４２ａを逆転させると、巻き取られた損券や旧券が１枚ずつ繰り出されて、搬送部３１４に送られるようになっている。
【００４２】
また、損券処理ユニット３００の筐体３０２の内部には、新券を収納する新券収納部３５０が設けられている。より具体的には、新券収納部３５０は、第１の収納部３５０ａ、第２の収納部３５０ｂ、第３の収納部３５０ｃおよび第４の収納部３５０ｄからなる４つの収納部から構成されており、第１の収納部３５０ａには新券の１万円札が、第２の収納部３５０ｂには新券の千円札が、第３の収納部３５０ｃには新券の五千円札がそれぞれ収納されている。また、第４の収納部３５０ｄに収納される新券の金種については操作者が選択することができるようになっている。これらの各収納部３５０ａ、３５０ｂ、３５０ｃ、３５０ｄにはそれぞれ繰出機構３５２ａ、３５２ｂ、３５２ｃ、３５２ｄが設けられており、収納部３５０ａ、３５０ｂ、３５０ｃ、３５０ｄに収納されている新券はそれぞれ繰出機構３５２ａ、３５２ｂ、３５２ｃ、３５２ｄにより搬送部３１４に１枚ずつ繰り出されるようになっている。なお、新券収納部３５０に収納される「新券」とは、中央銀行から銀行等の金融機関に配送され、市場に未だ流通していない官封券のことをいう。
【００４３】
投出部３６０は搬送部３１４に接続されており、搬送部３１４から投出部３６０に送られた新券等の有価媒体は当該投出部３６０で積み重ねられるようになっている。また、投出部３６０には羽根車３６２が設けられており、搬送部３１４から羽根車３６２に送られた新券等の有価媒体は、羽根車３６２における一対の羽根の間に挟まれた状態で当該羽根車３６２が図４における反時計回りの方向に回転することにより投出部３６０に送られるようになっている。このような羽根車３６２が設けられていることにより、投出部３６０に集積される新券等の有価媒体の整列を行うことができる。また、投出部３６０には抜き取り検知部３６１が設けられており、投出部３６０に集積された新券等の有価媒体が当該投出部３６０から抜き取られると、抜き取り検知部３６１によりこのことが検知されるようになっている。
【００４４】
図４に示すように、損券処理ユニット３００の機体内で有価媒体を搬送する搬送部３１４は、第１の搬送部３１４ａおよび第２の搬送部３１４ｂから構成されている。ここで、第１の搬送部３１４ａは、投入部３１０により筐体３０２の内部に投入された有価媒体を一時保留部３２０や特定有価証券収納部３３０、損券収納部３４０に搬送するようになっている。一方、第２の搬送部３１４ｂは、新券収納部３５０に収納された新券を投出部３６０に搬送するようになっている。ここで、第１の搬送部３１４ａにおける有価媒体の搬送路、および第２の搬送部３１４ｂにおける新券の搬送路は互いに独立して設けられている。すなわち、第１の搬送部３１４ａは、図４における二点鎖線で示す仮想線Ｌの右側に設けられており、第２の搬送部３１４ｂは、図４における二点鎖線で示す仮想線Ｌの左側に設けられており、両者は接続箇所３１４ｐで接続されているものの、それ以外の箇所では互いに独立したものとなっている。
【００４５】
また、搬送部３１４における第２の搬送部３１４ｂには簡易識別部３６４が設けられている。この簡易識別部３６４は、新券収納部３５０から第２の搬送部３１４ｂに繰り出された新券の金種のみの識別を行うようになっている。
【００４６】
また、損券処理ユニット３００の前面（図４における左側の側面）には扉３１８が設けられている。特定の権限を有する者はこの扉３１８を開けて損券処理ユニット３００の機体の内部にアクセスすることができるようになっており、このことにより新券収納部３５０に新券を補充したりこの新券収納部３５０から新券を取り出したりすることができるようになっている。
【００４７】
また、本実施の形態による有価媒体処理装置１には、バラ紙幣処理ユニット１００、帯封紙幣処理ユニット２００、損券処理ユニット３００、バラ硬貨処理ユニット４００、包装硬貨処理ユニット５００および損貨処理ユニット６００の制御を行う制御部１０が設けられている。図５に示すように、制御部１０には、バラ紙幣処理ユニット１００、帯封紙幣処理ユニット２００、損券処理ユニット３００、バラ硬貨処理ユニット４００、包装硬貨処理ユニット５００、損貨処理ユニット６００、第１の操作表示部１２、第２の操作表示部１４、第１のプリンタ１６および第２のプリンタ１８がそれぞれ接続されている。そして、制御部１０は、バラ紙幣処理ユニット１００、帯封紙幣処理ユニット２００、損券処理ユニット３００、バラ硬貨処理ユニット４００、包装硬貨処理ユニット５００および損貨処理ユニット６００にそれぞれ指令信号を送ることによりこれらの処理ユニット１００、２００、３００、４００、５００、６００を制御するようになっている。
【００４８】
また、上述したように、第１の操作表示部１２および第２の操作表示部１４はそれぞれタッチパネル等から構成されており、各処理ユニット１００、２００、３００、４００、５００、６００により行われた有価媒体の処理に係る情報や、各処理ユニット１００、２００、３００、４００、５００、６００に収納されている有価媒体の在高に係る情報等が第１の操作表示部１２や第２の操作表示部１４に表示されるようになっている。また、操作者は第１の操作表示部１２や第２の操作表示部１４により制御部１０に様々な指令を入力することができるようになっている。また、第１のプリンタ１６および第２のプリンタ１８は、それぞれ、各処理ユニット１００、２００、３００、４００、５００、６００により行われた有価媒体の処理に係る情報や、各処理ユニット１００、２００、３００、４００、５００、６００に収納されている有価媒体の在高に係る情報等を伝票等に印字するようになっている。
【００４９】
また、図５に示すように、制御部１０には記憶部２０および通信インターフェース部２２がそれぞれ接続されている。記憶部２０は、各処理ユニット１００、２００、３００、４００、５００、６００により行われた有価媒体の処理履歴に係る情報や、各処理ユニット１００、２００、３００、４００、５００、６００に収納されている有価媒体の在高に係る情報等が記憶されるようになっている。また、制御部１０は通信インターフェース部２２を介して本実施の形態による有価媒体処理装置１とは別に設けられた外部装置５０（具体的には、例えば上位端末や、スマートフォンやタブレット端末の携帯端末）に対して信号の送受信を行うことができるようになっている。
【００５０】
次に、このような構成からなる有価媒体処理装置１におけるバラ紙幣処理ユニット１００および帯封紙幣処理ユニット２００の動作について説明する。なお、以下に示すようなバラ紙幣処理ユニット１００および帯封紙幣処理ユニット２００の動作は、制御部１０がバラ紙幣処理ユニット１００や帯封紙幣処理ユニット２００の各構成部材を制御することにより行われるようになっている。
【００５１】
まず、バラ紙幣処理ユニット１００においてバラ紙幣の入金処理を行う際の動作について説明する。本実施の形態による有価媒体処理装置１が待機状態となっているときに、操作者が紙幣投入部１１０に紙幣を投入するとともに、入金処理開始の指令を第１の操作表示部１２や第２の操作表示部１４により制御部１０に入力したり上位端末等の外部装置５０から通信インターフェース部２２を介して制御部１０に入金処理開始の指令が送信されたりすると、紙幣投入部１１０に投入された紙幣は紙幣繰出部１１２により１枚ずつ筐体１０２内に繰り出され、入金搬送部１１４により搬送されるようになる。そして、入金搬送部１１４により搬送される紙幣は入金識別部１１６によりその金種、真偽、正損、新旧、表裏、搬送状態等が識別される。入金識別部１１６により識別された紙幣は表裏反転部１１８によりその表裏が整えられる。具体的には、表裏反転部１１８に送られた紙幣のうち、例えば裏面が上側となっている紙幣のみの表裏が反転されることにより、この表裏反転部１１８から出された紙幣は全て表面（おもてめん）が上側となるようになる。また、入金識別部１１６により正常な紙幣ではないと識別された紙幣、すなわちリジェクト紙幣は入金搬送部１１４から入金リジェクト部１２０に送られる。入金リジェクト部１２０はバラ紙幣処理ユニット１００の筐体１０２の外部からアクセス可能となっており、紙幣投入部１１０に投入された紙幣が全て筐体１０２内に繰り出されると、操作者はこの入金リジェクト部１２０に集積されたリジェクト紙幣を手動で取り出し、紙幣投入部１１０に再投入等するようになる。
【００５２】
一方、入金識別部１１６により正常な紙幣であると識別された紙幣は、入金搬送部１１４により一括一時保留部１３０または各金種別一時保留部１３２に送られ、これらの一時保留部で一時的に保留されるようになる。具体的には、入金識別部１１６により正常な紙幣であると識別された紙幣は、対応する金種の金種別一時保留部１３２に送られるが、この対応する金種の金種別一時保留部１３２が満杯状態である場合には当該紙幣はオーバーフロー紙幣として一括一時保留部１３０に送られるようになる。そして、紙幣投入部１１０に投入された紙幣が全て筐体１０２内に繰り出され、入金リジェクト部１２０、一括一時保留部１３０または各金種別一時保留部１３２に送られると、第１の操作表示部１２や第２の操作表示部１４には操作者に対して入金確定の指令を促すメッセージが表示される。このときに、操作者が第１の操作表示部１２や第２の操作表示部１４により入金確定の指令を入力すると、一括一時保留部１３０や各金種別一時保留部１３２に一時的に保留されている紙幣が、対応する一括紙幣収納庫１４０や各金種別紙幣収納庫１４２に送られ、これらの紙幣収納庫に収納されるようになる。このようにして、バラ紙幣処理ユニット１００における紙幣の入金処理に係る一連の動作が完了する。
【００５３】
次に、バラ紙幣処理ユニット１００によりバラ紙幣の出金処理を行う際の動作について説明する。本実施の形態による有価媒体処理装置１が待機状態となっているときに、出金すべき紙幣の金種毎の枚数や合計金額等に係る情報を含むバラ紙幣出金処理開始の指令を操作者が第１の操作表示部１２や第２の操作表示部１４により制御部１０に入力したり上位端末等の外部装置５０から通信インターフェース部２２を介して制御部１０に上記のバラ紙幣出金処理開始の指令が送信されたりすると、出金すべき金種の紙幣が各金種別紙幣収納庫１４２から１枚ずつ紙幣繰出部１４４により下部搬送部１４６に繰り出される。そして、下部搬送部１４６により搬送される紙幣は出金識別部１４８によりその金種、真偽、正損、新旧、表裏、搬送状態等が識別され、出金識別部１４８により識別された紙幣は出金搬送部１５０により１枚ずつ搬送される。出金識別部１４８により正常な紙幣ではないと識別された紙幣、すなわちリジェクト紙幣は出金搬送部１５０から出金リジェクト部１５４に送られる。また、出金識別部１４８により正常な紙幣であると識別された紙幣は出金搬送部１５０によりバラ紙幣投出部１５２に送られ、このバラ紙幣投出部１５２に集積される。バラ紙幣投出部１５２はバラ紙幣処理ユニット１００の筐体１０２の外部からアクセス可能となっており、バラ紙幣処理ユニット１００において紙幣の出金処理が完了すると、操作者はこのバラ紙幣投出部１５２に集積された紙幣を手動で取り出すようになる。また、出金リジェクト部１５４に送られたリジェクト紙幣も筐体１０２の外部からアクセス可能となっている。このようにして、バラ紙幣処理ユニット１００におけるバラ紙幣の出金処理に係る一連の動作が完了する。
【００５４】
次に、帯封紙幣処理ユニット２００により紙幣の帯封処理を行う際の動作について説明する。本実施の形態による有価媒体処理装置１が待機状態となっているときに、帯封部２１２により作成されるべき帯封紙幣の金種毎の数に係る情報を含む帯封処理開始の指令を操作者が第１の操作表示部１２や第２の操作表示部１４により制御部１０に入力したり上位端末等の外部装置５０から通信インターフェース部２２を介して制御部１０に上記の帯封処理開始の指令が送信されたりすると、帯封部２１２により作成されるべき帯封紙幣の金種毎の数が制御部１０において指定される。また、帯封紙幣が作成されるべき一または複数の金種のうちある金種の紙幣が各金種別紙幣収納庫１４２から１枚ずつ紙幣繰出部１４４により下部搬送部１４６に繰り出される。そして、下部搬送部１４６により搬送される紙幣は出金識別部１４８によりその金種、真偽、正損、新旧、表裏、搬送状態等が識別され、出金識別部１４８により識別された紙幣は出金搬送部１５０により１枚ずつ搬送される。出金識別部１４８により正常な紙幣ではないと識別された紙幣、すなわちリジェクト紙幣は出金搬送部１５０から出金リジェクト部１５４に送られる。また、出金識別部１４８により正常な紙幣であると識別された紙幣は出金搬送部１５０により上下の整理一時保留部１６０のうち一方の整理一時保留部１６０に送られ、当該整理一時保留部１６０に集積される。そして、整理一時保留部１６０に集積された紙幣の枚数が所定の枚数（例えば、１００枚）に達すると、整理一時保留部１６０に集積された紙幣の束がアーム部２１０により当該整理一時保留部１６０から取り出され、この紙幣の束はアーム部２１０により帯封紙幣処理ユニット２００の帯封部２１２に搬送される。また、アーム部２１０により紙幣の束が一方の整理一時保留部１６０から取り出されている間、出金搬送部１５０から他方の整理一時保留部１６０に紙幣が送られてこの他方の整理一時保留部１６０に紙幣が集積されるようになっている。
【００５５】
アーム部２１０により整理一時保留部１６０から取り出された紙幣の束が当該アーム部２１０により帯封紙幣処理ユニット２００の帯封部２１２に搬送されると、この帯封部２１２において、テープセット部２１４から当該帯封部２１２に送られた帯封紙により紙幣の束が結束されることによって帯封紙幣が作成される。帯封部２１２により作成された帯封紙幣は帯封紙幣搬送部２１６により帯封紙幣投出部２１８に搬送され、操作者はこの帯封紙幣投出部２１８に送られた帯封紙幣を手動で取り出すことができるようになる。また、帯封紙幣搬送部２１６により帯封紙幣投出部２１８に搬送された帯封紙幣は、当該帯封紙幣投出部２１８から帯封紙幣収納出金用搬送部２２０に搬送され、帯封紙幣判別部２２２を通過した後、この帯封紙幣収納出金用搬送部２２０により各帯封紙幣収納カセット２３０に金種別に収納されるようになっていてもよい。ある金種の紙幣について上述した処理が行われることにより所定数の帯封紙幣が作成されると、別の金種の紙幣について同様の処理が行われることによりこの別の金種についても所定数の帯封紙幣が作成されるようになる。そして、指定された金種毎の数の帯封紙幣が帯封部２１２により作成されると、帯封紙幣処理ユニット２００における紙幣の帯封処理に係る一連の動作が完了する。
【００５６】
次に、帯封紙幣処理ユニット２００により帯封紙幣の出金処理を行う際の動作について説明する。本実施の形態による有価媒体処理装置１が待機状態となっているときに、出金されるべき帯封紙幣の金種毎の数に係る情報を含む帯封紙幣出金処理開始の指令を操作者が第１の操作表示部１２や第２の操作表示部１４により制御部１０に入力したり上位端末等の外部装置５０から通信インターフェース部２２を介して制御部１０に上記の帯封紙幣出金処理開始の指令が送信されたりすると、出金すべき金種の帯封紙幣が各帯封紙幣収納カセット２３０から１つずつカセット駆動部２３２により帯封紙幣収納出金用搬送部２２０に繰り出される。そして、各帯封紙幣収納カセット２３０から帯封紙幣収納出金用搬送部２２０に繰り出された帯封紙幣は帯封紙幣投出部２１８に送られ、操作者はこの帯封紙幣投出部２１８に送られた帯封紙幣を手動で取り出すことができるようになる。このようにして、帯封紙幣処理ユニット２００における帯封紙幣の出金処理に係る一連の動作が完了する。
【００５７】
次に、損券処理ユニット３００の動作（具体的には、有価媒体の入金処理）について説明する。なお、以下に示すような損券処理ユニット３００の動作は、制御部１０が損券処理ユニット３００の各構成部材を制御することにより行われるようになっている。
【００５８】
損券処理ユニット３００において有価媒体の入金処理を行う際に、操作者が投入部３１０に有価媒体を投入すると、繰出機構３１２により有価媒体が筐体３０２の内部に１枚ずつ繰り出され、搬送部３１４の第１の搬送部３１４ａにより筐体３０２の内部で搬送される。その後、この有価媒体は撮像部３１６により撮像され、撮像された有価媒体の画像データが得られる。そして、制御部１０は、取得された有価媒体の画像データに基づいて、筐体３０２の内部に投入された有価媒体に、斜行状態や重送状態（二枚以上重なった状態）である等の搬送異常がないかどうかを判別する。ここで、搬送異常がないと判別された有価媒体は一時保留部３２０に搬送され、この一時保留部３２０で一時的に保留される。一方、筐体３０２の内部に投入された有価媒体に異常がある場合には、この有価媒体は搬送部３１４の第１の搬送部３１４ａにより投出部３６０に搬送され、筐体３０２の外部に返却されるようになる。
【００５９】
有価媒体が一時保留部３２０に保留されると、第１の操作表示部１２や第２の操作表示部１４には有価媒体の画像データが表示されるようになる。そして、操作者は、第１の操作表示部１２や第２の操作表示部１４に表示された有価媒体の画像データに基づいて、操作表示部により入金データを入力する。ここで、入金データとは、撮像部３１６により撮像された有価媒体の種類（具体的には、紙幣（損券、旧券）、小切手、手形等の種類）や価値等のことをいう。また、有価媒体の種類が紙幣である場合には、紙幣の金種や新旧に係る情報も入金データとして入力する。操作者が第１の操作表示部１２や第２の操作表示部１４により入金データを入力すると、第１の操作表示部１２や第２の操作表示部１４には、入金データと、有価媒体の画像データとが並列に表示されるようになる。
【００６０】
その後、投入部３１０に投入された有価媒体が全て筐体３０２の内部に取り込まれ、これらの有価媒体が一時保留部３２０に保留された後、第１の操作表示部１２や第２の操作表示部１４には、入金データの確定を求める旨の表示がなされる。そして、操作者が入金データの確定の指令を行うと、一時保留部３２０に一時的に保留された有価媒体は搬送部３１４の第１の搬送部３１４ａにより１枚ずつ搬送され、特定有価証券収納部３３０の各収納部３３０ａ〜３３０ｃや損券収納部３４０、３４２に分類収納されるようになる。その後、入力された入金データは記憶部２０に記憶される。一方、操作者が入金データの確定を行う代わりに、入金データの修正を行った場合には、入力された入金データの修正が行われる。その後、第１の操作表示部１２や第２の操作表示部１４には、修正された入金データの確定を求める旨の表示がなされる。一方、入金データの修正も行われず、有価媒体の返却の指令が第１の操作表示部１２や第２の操作表示部１４により入力された場合には、一時保留部３２０に一時的に保留された有価媒体は搬送部３１４の第１の搬送部３１４ａにより投出部３６０に搬送され、筐体３０２の外部に返却されるようになる。このようにして、損券処理ユニット３００への有価媒体の入金動作が完了する。
【００６１】
また、本実施の形態による有価媒体処理装置１では、２人の操作者が同時に第１の操作表示部１２および第２の操作表示部１４によりそれぞれ操作を行うことができるようになっている。この際に、制御部１０は、各操作表示部１２、１４で異なる操作者による操作権限が承認されたときに、一方の操作表示部（例えば、第１の操作表示部１２）による操作内容に、他方の操作表示部（例えば、第２の操作表示部１４）による操作内容を反映させることができるよう各処理ユニット１００、２００、３００、４００、５００、６００の各構成部材の制御を行うようになっている。このように、複数の操作者が異なる操作表示部で同時に操作を行うことにより、有価媒体処理装置１における処理時間を短縮したり操作性を向上させたりすることができる。
【００６２】
より詳細には、各操作表示部１２、１４によって、各処理ユニット１００、２００、３００、４００、５００、６００により処理されるべき有価媒体の情報を入力することができるようになっており、制御部１０は、一方の操作表示部による入力結果と、他方の操作表示部による入力結果とを統合するようになっている。また、制御部１０は、統合された入力結果に基づいて有価媒体の処理（具体的には、出金処理）を行うよう各処理ユニット１００、２００、３００、４００、５００、６００の各構成部材を制御するようになっている。また、一方の操作表示部により有価媒体の入金処理の指示を行った場合に、他方の操作表示部により、一方の操作表示部により指示された入金処理の結果を承認することができるようになっている。このような、本実施の形態による有価媒体処理装置１において２人の操作者が同時に第１の操作表示部１２および第２の操作表示部１４によりそれぞれ操作を行う際の動作について以下に詳述する。
【００６３】
本実施の形態による有価媒体処理装置１では、袋金としての貨幣の出金処理を行うことができるようになっており、このような袋金としての貨幣の出金処理が行われる前に、袋金準備処理が有価媒体処理装置１で行われるようになっている。より詳細に説明すると、金融機関の行員が顧客の依頼により、例えば顧客会社の社員（複数人）の給料の配達をするにあたって、顧客会社に実際に現金を持参するのに先立って、顧客会社の各社員の給料に係る貨幣を社員毎に封筒に詰めて持ち出せるように支払準備金を有価媒体処理装置１で準備している。また、金融機関において年金受給者（複数人）に年金の支払いを行う場合には、役所から金融機関に渡された名簿に基づいて、それぞれの年金受給者に支払われるべき年金を有価媒体処理装置１で前もって準備しておき、この有価媒体処理装置１から出金された年金に掛かる貨幣を年金受給者毎に封筒に詰めている。ここで、本実施の形態による有価媒体処理装置１において袋金準備処理を行うにあたり、顧客会社や役所から金融機関に対して袋金準備依頼が行われるが、この際に、顧客会社の社員や年金受給者毎の封筒に詰めるべき貨幣の金額のリストが金融機関に渡される。そして、金融機関の行員は、このリストに基づいて第１の操作表示部１２や第２の操作表示部１４によりリストに記載されている袋金準備金額を入力する。そうすると、有価媒体処理装置１の各処理ユニット１００、２００、３００、４００、５００、６００から貨幣が顧客会社の社員や年金受給者毎に出金され、行員はこの出金された貨幣を封筒に詰めることにより袋金が金融機関で前もって準備されるようになる。
【００６４】
また、本実施の形態による有価媒体処理装置１では、上述した袋金準備処理を２人の行員が分担して行うことができるようになっており、このことにより袋金準備金額の入力時間を短縮することができるようになっている。このような、本実施の形態による有価媒体処理装置１において２人の行員が袋金準備処理を分担して行う際の動作について図６および図９に示すフローチャートならびに図７および図８に示す第１の操作表示部１２や第２の操作表示部１４の表示画面を用いて説明する。なお、以下に示す動作は、２人の行員のうち一方の行員が第１の操作者として第１の操作表示部１２を操作するとともに他方の行員が第２の操作者として第２の操作表示部１４を操作するような例について述べている。
【００６５】
第１の操作者は、まず、第１の操作表示部１２でログインを行う（ＳＴＥＰ１）。具体的には、有価媒体処理装置１が待機状態となっているときに各操作表示部１２、１４にはメニュー画面が表示されるようになっているが、第１の操作者が第１の操作表示部１２に表示されるメニュー画面において第１の操作者の識別番号およびパスワードを入力すると、この第１の操作者の権限が制御部１０において認証されるようになる。そして、第１の操作者の権限が認証された後、当該第１の操作者が第１の操作表示部１２に表示されるメニュー画面において「入出金処理」を行うことを選択すると、第１の操作表示部１２において入出金処理のサブメニュー画面が表示されるようになる。そして、第１の操作者がこのような入出金処理のサブメニュー画面において「袋金処理」を行うことを選択すると（ＳＴＥＰ２）、第１の操作表示部１２には図７に示すような袋金準備金額の入力画面が表示されるようになる。このような袋金準備金額の入力画面において、第１の操作者は、顧客会社の社員や年金受給者毎の封筒に詰めるべき貨幣の金額のリストに基づいて、リストに記載されている袋金準備金額を第１の操作表示部１２により入力する（ＳＴＥＰ３）。図７では、３つの封筒にそれぞれ詰めるべき貨幣に係る袋金準備金額が第１の操作表示部１２に入力された状態を示している。
【００６６】
また、第１の操作者が第１の操作表示部１２により袋金準備金額を入力している間に、第２の操作者が第２の操作表示部１４により袋金準備金額を入力したい場合には、第２の操作者は、まず、第２の操作表示部１４でログインを行う（ＳＴＥＰ４）。具体的には、第２の操作者が第２の操作表示部１４に表示されるメニュー画面において第２の操作者の識別番号およびパスワードを入力すると、この第２の操作者の権限が制御部１０において認証されるようになる。そして、第２の操作者の権限が認証された後、当該第２の操作者が第２の操作表示部１４に表示されるメニュー画面において「入出金処理」を行うことを選択すると、第２の操作表示部１４において入出金処理のサブメニュー画面が表示されるようになる。そして、第２の操作者がこのような入出金処理のサブメニュー画面において「袋金処理（分担）」を行うことを選択すると（ＳＴＥＰ５）、第２の操作表示部１４にも図７に示すような袋金準備金額の入力画面が表示されるようになる。このような袋金準備金額の入力画面において、第２の操作者は、顧客会社の社員や年金受給者毎の封筒に詰めるべき貨幣の金額のリストに基づいて、リストに記載されている袋金準備金額を第２の操作表示部１４に入力する（ＳＴＥＰ６）。このようにして、袋金準備金額の入力処理を第１の操作者および第２の操作者が分担して行うと、１人の操作者が全ての袋金準備金額の入力処理を行った場合と比較して袋金準備金額の入力時間を短縮することができる。
【００６７】
その後、第２の操作者が袋金準備金額の入力作業を完了し、第２の操作表示部１４に表示される袋金準備金額の入力画面において「完了」ボタンを押下すると、第２の操作者による袋金準備金額の入力作業が完了する（ＳＴＥＰ７の「ＹＥＳ」）。この場合には、第２の操作表示部１４における袋金準備金額の入力作業が完了したという情報が制御部１０で受け付けられる（ＳＴＥＰ８）。このようにして、第２の操作表示部１４における袋金準備金額の入力作業が完了したという情報が制御部１０で受け付けられると、図８に示すように、第１の操作表示部１２による袋金準備金額の入力結果に加えて第２の操作表示部１４による袋金準備金額の入力結果が第１の操作表示部１２に表示されるようになる。
【００６８】
その後、第１の操作者が袋金準備金額の入力作業を完了し、第１の操作表示部１２に表示される袋金準備金額の入力画面において「完了」ボタンを押下すると、第１の操作者による袋金準備金額の入力作業が完了する（ＳＴＥＰ９の「ＹＥＳ」）。このとき、第２の操作表示部１４における袋金準備金額の入力作業が完了したという情報が制御部１０で既に受け付けられている場合には、制御部１０は、第１の操作表示部１２による袋金準備金額の入力結果と第２の操作表示部１４による袋金準備金額の入力結果とを統合する（ＳＴＥＰ１０）。その後、統合された袋金準備金額の入力結果が第１のプリンタ１６または第２のプリンタ１８により伝票に印字されるとともに、各処理ユニット１００、２００、３００、４００、５００、６００から袋金準備金額に係る貨幣が出金される（ＳＴＥＰ１１）。具体的には、第１の操作表示部１２による袋金準備金額の入力結果と第２の操作表示部１４による袋金準備金額の入力結果とが統合された後、第１の操作者が第１の操作表示部１２に表示される入出金処理のサブメニュー画面から「袋金支払」を行うことを選択すると、統合された入力結果に関する袋金準備金額に係る貨幣が各処理ユニット１００、２００、３００、４００、５００、６００から出金されるようになる。なお、この際に、封筒毎に貨幣が都度出金されるようになっていてもよく、あるいは、複数の封筒に係る貨幣が一度に出金されるようになっていてもよい。
【００６９】
また、本実施の形態による有価媒体処理装置１では、第１の操作者が第１の操作表示部１２により袋金準備金額を入力している途中で、第２の操作者が第２の操作表示部１４により袋金準備金額の入力作業を開始した場合に、第１の操作者が先に袋金準備金額の入力作業を終えることもできるようになっている。このような場合の動作について図９に示すフローチャートを用いて説明する。
【００７０】
有価媒体処理装置１が待機状態となっているときに各操作表示部１２、１４にはメニュー画面が表示されるようになっているが、まず第１の操作者が第１の操作表示部１２でログインを行い（ＳＴＥＰ２１）、次に袋金準備処理の開始の指示を第１の操作表示部１２により入力する（ＳＴＥＰ２２）。このことにより、第１の操作表示部１２には図７に示すような袋金準備金額の入力画面が表示されるようになり、このような袋金準備金額の入力画面において、第１の操作者は袋金準備金額を第１の操作表示部１２に入力する（ＳＴＥＰ２３）。
【００７１】
また、第１の操作者が第１の操作表示部１２により袋金準備金額を入力している間に、第２の操作者が第２の操作表示部１４により袋金準備金額を入力したい場合には、第２の操作者は、まず、第２の操作表示部１４でログインを行い（ＳＴＥＰ２４）、次に袋金準備処理（分担）の開始の指示を第２の操作表示部１４により入力することができるようになる（ＳＴＥＰ２５）。このことにより、第２の操作表示部１４にも図７に示すような袋金準備金額の入力画面が表示されるようになり、このような袋金準備金額の入力画面において、第２の操作者は袋金準備金額を第２の操作表示部１４に入力することができるようになる（ＳＴＥＰ２６）。
【００７２】
その後、第１の操作者が袋金準備金額の入力作業を完了し、第１の操作表示部１２に表示される袋金準備金額の入力画面において「完了」ボタンを押下すると、第２の操作表示部１４における袋金準備金額の入力作業が完了したという情報が制御部１０で受け付けられていない場合には、第１の操作者による袋金準備金額の入力作業が完了し（ＳＴＥＰ２７の「ＹＥＳ」）、第１の操作表示部１２における袋金準備金額の入力作業が完了したという情報が制御部１０で受け付けられる（ＳＴＥＰ２８）。このようにして、第１の操作表示部１２における袋金準備金額の入力作業が完了したという情報が制御部１０で受け付けられると、第２の操作表示部１４による袋金準備金額の入力結果に加えて第１の操作表示部１２による袋金準備金額の入力結果が第２の操作表示部１４にも表示されるようになる。
【００７３】
その後、第２の操作者が袋金準備金額の入力作業を完了し、第２の操作表示部１４に表示される袋金準備金額の入力画面において「完了」ボタンを押下すると、第２の操作者による袋金準備金額の入力作業が完了する（ＳＴＥＰ２９の「ＹＥＳ」）。このとき、第１の操作表示部１２における袋金準備金額の入力作業が完了したという情報が制御部１０で既に受け付けられている場合には、制御部１０は、第１の操作表示部１２による袋金準備金額の入力結果と第２の操作表示部１４による袋金準備金額の入力結果とを統合する（ＳＴＥＰ３０）。その後、統合された袋金準備金額の入力結果が第１のプリンタ１６または第２のプリンタ１８により伝票に印字されるとともに、各処理ユニット１００、２００、３００、４００、５００、６００から統合された袋金準備金額に係る貨幣が出金される（ＳＴＥＰ３１）。このようにして、第１の操作者が先に袋金準備金額の入力作業を終えた場合にも、封筒毎に入力された袋金準備金額に係る貨幣が各処理ユニット１００、２００、３００、４００、５００、６００から出金されるようになる。
【００７４】
また、本実施の形態による有価媒体処理装置１では、上述したように、一方の操作表示部により有価媒体の入金処理の指示を行った場合に、他方の操作表示部により、一方の操作表示部により指示された入金処理の結果を承認することができるようになっている。このような動作について図１０に示すフローチャートおよび図１１乃至図１５に示す第１の操作表示部１２や第２の操作表示部１４の表示画面を用いて説明する。なお、以下に示す動作は、金融機関の担当者が第１の操作表示部１２を操作して貨幣の入金処理を行うとともに当該担当者の上司である管理者が第２の操作表示部１４により入金処理の結果を承認するような例について述べている。
【００７５】
担当者は、まず、第１の操作表示部１２でログインを行う（ＳＴＥＰ４１）。具体的には、有価媒体処理装置１が待機状態となっているときに各操作表示部１２、１４にはメニュー画面が表示されるようになっているが、担当者が第１の操作表示部１２に表示されるメニュー画面において担当者の識別番号およびパスワードを入力すると、この担当者の権限が制御部１０において認証されるようになる。そして、担当者の権限が認証された後、当該担当者が第１の操作表示部１２に表示されるメニュー画面において「入出金処理」を行うことを選択すると、第１の操作表示部１２において入出金処理のサブメニュー画面が表示されるようになる。そして、担当者がこのような入出金処理のサブメニュー画面において「貨幣の入金処理」を行うことを選択すると（ＳＴＥＰ４２）、担当者は各処理ユニット１００、２００、３００、４００、５００、６００に貨幣を入金することができるようになる。この際に、当該担当者は損券や旧券、および貨幣以外の有価媒体を損券処理ユニット３００に入金したり損貨や旧貨を損貨処理ユニット６００に入金したりすることができるようになる。以下の説明では、担当者が損券を損券処理ユニット３００に入金する例について述べるが、担当者が旧券や貨幣以外の有価媒体を損券処理ユニット３００に入金する場合についても同様の動作が行われるようになる。
【００７６】
図１１は、損券処理ユニット３００に損券や旧券等を入金したり損貨処理ユニット６００に損貨や旧貨等を入金したりする際に第１の操作表示部１２に表示される入金画面を示す図である。このような入金画面において担当者が損券や旧券等を損券処理ユニット３００に入金することを選択すると、第１の操作表示部１２には図１２に示すような損券や旧券等を損券処理ユニット３００の投入部３１０に投入することを担当者に促すような画面が表示される。そして、図１２に示すような画面が第１の操作表示部１２に表示されているときに担当者が損券を投入部３１０に投入すると、投入部３１０に投入された損券は筐体３０２の内部に繰り出され、この繰り出された損券の画像が損券処理ユニット３００の撮像部３１６により読み取られる（ＳＴＥＰ４３）。また、図１３に示すように、撮像部３１６により読み取られた損券の画像は第１の操作表示部１２に表示される。そして、担当者は、第１の操作表示部１２に表示される損券の画像に基づいて、当該損券の入金データを第１の操作表示部１２により入力する（ＳＴＥＰ４４）。また、撮像部３１６により画像が読み取られた損券は一時保留部３２０に送られ、この一時保留部３２０で一時的に保留されるようになる。このような動作は投入部３１０に投入された全ての損券の画像が撮像部３１６により読み取られるまで行われる（ＳＴＥＰ４５の「ＹＥＳ」）。
【００７７】
そして、担当者による貨幣の入金処理が完了した後、金融機関の管理者が有価媒体処理装置１における貨幣の入金処理の結果の承認を行うために第２の操作表示部１４でログインする（ＳＴＥＰ４６）。具体的には、管理者が第２の操作表示部１４に表示されるメニュー画面において管理者の識別番号およびパスワードを入力すると、この管理者の権限が制御部１０において認証されるようになる。そして、管理者の権限が認証されると、第２の操作表示部１４には管理者専用のメニュー画面が表示されるようになるが、このメニュー画面において「入金処理の承認」を行うことを選択すると（ＳＴＥＰ４７）、第２の操作表示部１４には図１４に示すような「どの取引番号の入金処理を承認するか」を選択する画面が表示されるようになる。そして、図１４に示すような第２の操作表示部１４に表示される選択画面において管理者が入金処理の取引番号を選択すると（ＳＴＥＰ４８）、図１５に示すように、撮像部３１６により読み取られた損券の画像が第２の操作表示部１４に表示されるようになる。また、第２の操作表示部１４には、担当者によって第１の操作表示部１２により入力された損券の入金データも表示されるようになる。そして、管理者は、このような第２の操作表示部１４の画面において当該第２の操作表示部１４に表示される損券の画像に関連する入金処理の結果の承認を行うことができるようになる（ＳＴＥＰ４９）。具体的には、管理者は、第２の操作表示部１４に表示される撮像部３１６により読み取られた損券の画像と、サンプルとなる損券の画像とを見比べた後、「承認」ボタンを押下することにより、当該損券に係る入金処理の結果（具体的には、担当者によって第１の操作表示部１２により入力された損券の入金データ）が承認されるようになる。
【００７８】
このようにして、管理者が全ての損券について第２の操作表示部１４により承認を行うと（ＳＴＥＰ５０の「ＹＥＳ」）、第１の操作表示部１２により指示された損券の入金処理の結果が制御部１０において確定するようになる。そして、第１の操作表示部１２により指示された損券の入金処理の結果が制御部１０において確定すると、一時保留部３２０に保留されている損券が損券収納部３４０、３４２等に送られ、これらの損券収納部３４０、３４２等に収納される。また、損券収納部３４０、３４２等に収納された損券に係る入金処理の結果が第１のプリンタ１６や第２のプリンタ１８により伝票に印字されるようになる（ＳＴＥＰ５１）。また、第１の操作表示部１２において、管理者により入金処理の結果の承認が行われたことを条件として（ＳＴＥＰ５２の「ＹＥＳ」）、担当者による入金処理が完了する。なお、管理者が損券について第２の操作表示部１４により承認を行わなかった場合には、制御部１０において、第１の操作表示部１２により指示された損券の入金処理の結果が確定しないようになる。この場合には、一時保留部３２０に保留されている損券が投出部３６０に送られることにより筐体３０２の外部に返却されるようになる。そして、担当者は、筐体３０２の外部に返却された損券について現物を目視確認した後に、損券処理ユニット３００に再入金することにより、当該損券の画像を撮像部３１６により再取得する。また、この再取得された画像を第２の操作表示部１４に表示させることにより、管理者は損券の画像を再確認することができ、入金データを再入力するようになる。
【００７９】
また、本実施の形態では、管理者が第２の操作表示部１４により損券の入金処理に係る結果の承認を行う際に、当該第２の操作表示部１４によって確認項目を入力すると、担当者が第１の操作表示部１２において損券の入金処理に係る入力内容の修正を行うことができるようになっていてもよい。また、管理者自身が第２の操作表示部１４において損券の入金処理に係る入力内容の修正を行うことができるようになっていてもよい。
【００８０】
また、上記の説明では、担当者が損券を損券処理ユニット３００に入金する例について述べたが、担当者が損貨や旧貨等を損貨処理ユニット６００に入金する場合についても同様の動作が行われるようになっていてもよい。すなわち、担当者が損貨や旧貨等を損貨処理ユニット６００に入金する際に、担当者が第１の操作表示部１２により損貨や旧貨等の入金処理の指示を行った場合に、管理者は第２の操作表示部１４により、第１の操作表示部１２により指示された損貨や旧貨等の入金処理の結果を承認することができるようになっていてもよい。
【００８１】
以上のような構成からなる本実施の形態の有価媒体処理装置１によれば、複数の操作部として第１の操作表示部１２および第２の操作表示部１４が設けられており、制御部１０は、各操作部（具体的には、第１の操作表示部１２および第２の操作表示部１４）で異なる操作者による操作権限が承認されたときに、一方の操作部による操作内容に、他方の操作部による操作内容を反映させることができるよう処理部（具体的には、各処理ユニット１００、２００、３００、４００、５００、６００）の制御を行うようになっている。このような有価媒体処理装置１によれば、各操作部で異なる操作者による操作権限が承認されたときに、一方の操作部による操作内容に、他方の操作部による操作内容を反映させることができるようになっているため、複数の操作者が異なる操作部で同時に操作を行うことができ、よって有価媒体処理装置１における処理時間を短縮したり操作性を向上させたりすることができる。
【００８２】
また、本実施の形態の有価媒体処理装置１においては、上述したように、各操作部によって、処理部により処理されるべき有価媒体の情報を入力することができるようになっており、制御部１０は、一方の操作部による入力結果と、他方の操作部による入力結果とを統合するようになっている。この場合には、例えば上述した袋金準備処理を行う際に、複数の操作者が各操作部で袋金準備金額の入力を行った後にこれらの入力された袋金準備金額を統合することにより、袋金準備金額の入力時間を短縮することができる。また、この場合、制御部１０は、統合された入力結果に基づいて有価媒体の処理（具体的には、出金処理）を行うよう処理部（具体的には、各処理ユニット１００、２００、３００、４００、５００、６００）を制御するようになっている。この場合には、統合された袋金準備金額に係る貨幣の出金処理を行うことができるようになる。また、図６のフローチャートに示すように、制御部１０は、一方の操作部（例えば、第１の操作表示部１２）による入力動作が開始されたときに、他方の操作部（例えば、第２の操作表示部１４）による入力動作の完了の指令が受け付けられないと（ＳＴＥＰ８）、一方の操作部による入力動作を完了させることができないようになっている。あるいは、図９のフローチャートに示すように、制御部１０は、一方の操作部（例えば、第１の操作表示部１２）による入力動作が開始されたときに、他方の操作部（例えば、第２の操作表示部１４）による入力動作の途中で一方の操作部による入力動作が完了すると（ＳＴＥＰ２８）、他方の操作部による入力動作が完了した後に（ＳＴＥＰ２９の「ＹＥＳ」）、一方の操作部による入力結果と他方の操作部による入力結果とを統合するようになっていてもよい。
【００８３】
また、本実施の形態の有価媒体処理装置１においては、上述したように、制御部１０は、一方の操作部（例えば、第１の操作表示部１２）により有価媒体の入金処理の指示を行った場合に、他方の操作部（例えば、第２の操作表示部１４）により、一方の操作部により指示された入金処理の結果を承認することができるようになっている。ここで、従来では、担当者による貨幣の入金処理と管理者による入金処理の承認とが別々に行われるようになっていたが、このような従来の方法では、管理者が入金処理の承認を行う際に、入金処理を指示した担当者に確認したい事項が生じたときに、２つの処理のタイミングが異なるため入金処理を指示した担当者を呼び出す必要が生じてしまい、操作性が悪いという問題があった。これに対し、本実施の形態では、２つの操作部によって担当者による貨幣の入金処理と管理者による入金処理の承認とが並行して行われるため、管理者が入金処理の承認を行う際に、入金処理を指示した担当者に確認したい事項が生じた場合でもそばにいる担当者にすぐに確認することができ、よって操作性を向上させることができる。
【００８４】
また、本実施の形態の有価媒体処理装置１においては、上述したように、第２の操作表示部１４は、例えば損券処理ユニット３００の筐体３０２の内部に投入された有価媒体の画像を表示する表示部としても機能するようになっており、この第２の操作表示部１４により、表示部に表示される有価媒体の画像に関連する入金処理の結果の承認を行うことができるようになっている。また、制御部１０において、他方の操作部（例えば、第２の操作表示部１４）により入金処理の結果が承認された場合には、一方の操作部（例えば、第１の操作表示部１２）により指示された有価媒体の入金処理の結果が確定するようになっている。また、制御部１０において、他方の操作部により入金処理の結果が承認されなかった場合には、一方の操作部により指示された有価媒体の入金処理の結果が確定しないようになっている。この場合には、例えば損券処理ユニット３００の筐体３０２の内部に投入された有価媒体が当該筐体３０２の外部に返却されるようになる。
【００８５】
なお、本実施の形態による有価媒体処理装置１は、上述したような態様に限定されることはなく、様々な変更を加えることができる。
【００８６】
例えば、上述した有価媒体処理装置１は、バラ紙幣処理ユニット１００、帯封紙幣処理ユニット２００、損券処理ユニット３００、バラ硬貨処理ユニット４００、包装硬貨処理ユニット５００および損貨処理ユニット６００を組み合わせたものであるが、本実施の形態による有価媒体処理装置１において、これらの処理ユニット１００、２００、３００、４００、５００、６００のうち一部のユニットの設置が省略されるようになっていてもよい。具体的には、本実施の形態による有価媒体処理装置１がバラ紙幣処理ユニット１００および帯封紙幣処理ユニット２００のみから構成されており、当該有価媒体処理装置１が紙幣の入出金装置として用いられるようになっていてもよい。あるいは、本実施の形態による有価媒体処理装置１がバラ硬貨処理ユニット４００および包装硬貨処理ユニット５００のみから構成されており、当該有価媒体処理装置１が硬貨の入出金装置として用いられるようになっていてもよい。
【００８７】
また、本実施の形態による有価媒体処理装置１において、貨幣の全回収や自動精査を行う際に操作者により行われるべき操作を、複数の操作部（例えば第１の操作表示部１２および第２の操作表示部１４）により複数の操作者が分担して行うことができるようになっていてもよい。具体的には、例えば、貨幣の全回収や自動精査を行う際に、第１の操作者が第１の操作表示部１２により紙幣の全回収や自動精査に係る操作を行うとともに第２の操作者が第２の操作表示部１４により硬貨の全回収や自動精査に係る操作を行うことができるようになっていてもよい。
【００８８】
また、上述した有価媒体処理装置１および上位端末等の外部装置５０を組み合わせることにより本発明に係る有価媒体処理システムが構成されるようになっていてもよい。この場合には、上位端末等の外部装置５０は、有価媒体処理装置１の管理を行う管理装置として機能するようになる。また、上記の説明では、複数の操作部（例えば第１の操作表示部１２および第２の操作表示部１４）で異なる操作者による操作権限が承認されたときに、一方の操作部（例えば、第１の操作表示部１２）による操作内容に、他方の操作部（例えば、第２の操作表示部１４）による操作内容を反映させることができるよう各処理ユニット１００、２００、３００、４００、５００、６００の制御を行う制御部１０が有価媒体処理装置１に設けられるような態様について述べたが、上記のように各処理ユニット１００、２００、３００、４００、５００、６００の制御を行う制御部が有価媒体処理装置１に設けられる代わりに上位端末等の外部装置５０に設けられるようになっていてもよい。
【００８９】
また、本発明に係る有価媒体処理システムにおいて、有価媒体処理装置１の操作を行うための操作部は、当該有価媒体処理装置１に設けられた第１の操作表示部１２や第２の操作表示部１４に限定されることはない。有価媒体処理装置１の操作を行うための操作部として、有価媒体処理装置１とは別に設けられ、通信インターフェース部２２を介して制御部１０に対して信号の送受信を行うことができる携帯端末（具体的には、スマートフォンやタブレット端末等）が用いられてもよい。この場合には、有価媒体処理装置１の各処理ユニット１００、２００、３００、４００、５００、６００により行われた有価媒体の処理に係る情報や、有価媒体処理装置１の各処理ユニット１００、２００、３００、４００、５００、６００に収納されている有価媒体の在高に係る情報等が携帯端末に表示されるようになる。また、操作者は携帯端末により制御部１０に様々な指令を入力することができるようになる。また、本発明に係る有価媒体処理システムにおいて携帯端末が用いられる場合、有価媒体処理装置１に１つの操作表示部のみが設けられ、この有価媒体処理装置１に設けられた操作表示部および当該有価媒体処理装置１とは別に設けられた携帯端末により複数の操作者が有価媒体処理装置１の操作を同時に行うようになっていてもよい。また、更に別の例では、有価媒体処理装置１に操作表示部が設けられておらず、有価媒体処理装置１とは別に設けられた複数の携帯端末により複数の操作者が有価媒体処理装置１の操作を同時に行うようになっていてもよい。
【００９０】
また、本実施の形態による有価媒体処理装置１において、包装硬貨処理ユニット５００の上に載せられている第２の操作表示部１４を上側後方に開くことができるようになっていてもよい。図１６（ａ）（ｂ）は、包装硬貨処理ユニット５００の上に載せられている第２の操作表示部１４を上側後方に開く動作を示す斜視図である。
【００９１】
より詳細に説明すると、図１６に示すように、包装硬貨処理ユニット５００の上には、第２のプリンタ１８としてのスリッププリンタの他にレシートプリンタ３０およびジャーナルプリンタ３２がそれぞれ載せられるようになっている。ここで、第２のプリンタ１８としてのスリッププリンタは、挿入口１８ａを介して内部に入れられた伝票に様々な情報を印字するようになっている。そして、様々な情報が印字された伝票は挿入口１８ａから引き抜かれるようになる。また、レシートプリンタ３０は、有価媒体処理装置１の各処理ユニット１００、２００、３００、４００、５００、６００により行われた有価媒体の処理に係る情報や、有価媒体処理装置１の各処理ユニット１００、２００、３００、４００、５００、６００に収納されている有価媒体の在高に係る情報等をレシートに印字し、この印字されたレシートを排出口３０ａから排出するようになっている。また、ジャーナルプリンタ３２は、各処理ユニット１００、２００、３００、４００、５００、６００により行われた有価媒体の処理に係る情報や、各処理ユニット１００、２００、３００、４００、５００、６００に収納されている有価媒体の在高に係る情報等をロール紙に印字するようになっているが、印字されたロール紙は排出されることなくジャーナルプリンタ３２の内部で回収されるようになっている。このことにより、各処理ユニット１００、２００、３００、４００、５００、６００により行われた有価媒体の処理に係る情報や、各処理ユニット１００、２００、３００、４００、５００、６００に収納されている有価媒体の在高に係る情報等の証拠がロール紙に残るようになる。また、操作者は、ジャーナルプリンタ３２の前面に設けられた確認窓３２ａにより、ロール紙に印字された内容を確認することができるようになっている。
【００９２】
また、図１６（ａ）（ｂ）に示すように、第２の操作表示部１４は、水平方向に延びる軸を中心として、図１６（ａ）に示すような表示位置と図１６（ｂ）に示すような退避位置との間で回転することができるようになっている。ここで、第２の操作表示部１４が図１６（ａ）に示すような表示位置に位置しているときには、当該第２の操作表示部１４はレシートプリンタ３０やジャーナルプリンタ３２の前方に位置するようになる。なお、この場合でもレシートプリンタ３０の排出口３０ａやジャーナルプリンタ３２の確認窓３２ａは第２の操作表示部１４の下方に位置している。一方、第２の操作表示部１４が図１６（ｂ）に示すような退避位置に位置しているときには、当該第２の操作表示部１４はレシートプリンタ３０やジャーナルプリンタ３２の上方に位置するようになる。
【００９３】
このような構成の第２の操作表示部１４が設けられた有価媒体処理装置１によれば、通常時（貨幣処理時）には第２の操作表示部１４をレシートプリンタ３０やジャーナルプリンタ３２の前方に位置させることにより、図１６（ａ）に示すように限られたスペースに第２の操作表示部１４、第２のプリンタ１８としてのスリッププリンタ、レシートプリンタ３０およびジャーナルプリンタ３２を配置することができるようになる。また、レシートプリンタ３０やジャーナルプリンタ３２のメンテナンスを行う際には、図１６（ｂ）に示すように第２の操作表示部１４を退避位置に移動させることにより、操作者はレシートプリンタ３０やジャーナルプリンタ３２の前面カバーを開くことができるようになり、これらのレシートプリンタ３０やジャーナルプリンタ３２においてロール紙の交換やレシート等のジャム（詰まり現象）の解除等の様々なメンテナンス作業を行うことができるようになる。
【００９４】
また、本実施の形態による有価媒体処理装置１で用いられるジャーナルプリンタ３２の内部構成について図１７を用いて説明する。なお、図１７におけるジャーナルプリンタ３２の右側の側面が有価媒体処理装置１の前面側（すなわち、有価媒体処理装置１を手前側から見たときの正面側）となっており、図１７における左方向がジャーナルプリンタ３２の奥行き方向となっている。図１７に示すように、ジャーナルプリンタ３２の内部には、ロール紙３２ｂと、ロール紙３２ｂから巻き出された用紙が通過する搬送経路３２ｃと、ロール紙３２ｂから巻き出された用紙に印字を行う印字ヘッド３２ｅと、印字ヘッド３２ｅにより印字が行われた用紙を巻き取る巻取ロール３２ｄとを有している。また、ジャーナルプリンタ３２の前面側には、印字ヘッド３２ｅにより印字が行われた用紙における印字内容を操作者が確認するための透明または半透明の確認窓３２ａが設けられている。図１７に示すように、本実施の形態によるジャーナルプリンタ３２では、巻取ロール３２ｄがジャーナルプリンタ３２の内部における前面側に設置されている。ここで、ジャーナルプリンタ３２のロール紙を交換する際には、まず、ロール紙３２ｂの芯と、用紙を全て巻き取った巻取ロール３２ｄを取り除き、新しいロール紙３２ｂと空の巻取ロール３２ｄを装着する。次に、ロール紙３２ｂの先端を手前に引き出して、巻取ロール３２ｄに引っ掛けてカバーを閉じれば交換作業が完了する。巻取ロール３２ｄが手前側にあることで、ロール紙３２ｂの先端を巻取ロール３２ｄに引っ掛ける動作を広い空間で行うことできるので、ロール紙３２ｂを取り換える際の操作性を向上させることができ、また、巻取ロール３２ｄの交換時間を短縮することができる。また、確認窓３２ａがジャーナルプリンタ３２の前面側に設けられているため、印字ヘッド３２ｅにより印字が行われた用紙における印字内容を操作者が容易に確認することができるようになる。
【００９５】
なお、比較例として、従来のジャーナルプリンタ４０の内部構成を図１８に示す。なお、図１８におけるジャーナルプリンタ４０の右側の側面が有価媒体処理装置１の前面側（すなわち、有価媒体処理装置１を手前側から見たときの正面側）となっており、図１８における左方向がジャーナルプリンタ４０の奥行き方向となっている。図１８に示すように、従来のジャーナルプリンタ４０の内部には、ロール紙４０ｂと、ロール紙４０ｂから巻き出された用紙が通過する搬送経路４０ｃと、ロール紙４０ｂから巻き出された用紙に印字を行う印字ヘッド４０ｅと、印字ヘッド４０ｅにより印字が行われた用紙を巻き取る巻取ロール４０ｄとを有している。しかしながら、図１８に示す従来のジャーナルプリンタ４０では、巻取ロール４０ｄがジャーナルプリンタ４０の内部における背面側に設置されている。このため、図１８に示すようなジャーナルプリンタ４０では、操作者はロール紙４０ｂを取り換える際にジャーナルプリンタ４０の内部において巻取ロール４０ｄが見にくくなるため、ロール紙４０ｂの先端を巻取ロール４０ｄに引っ掛ける動作が極めて行いにくく、よって巻取ロール４０ｄを取り換える際の操作性が悪く、また、巻取ロール４０ｄの交換時間が長くなってしまうという問題があった。より詳細には、図１８に示すようなジャーナルプリンタ４０では、巻取ロール４０ｄを取り換える際にジャーナルプリンタ４０自体を手前側に引き出す必要があり、手間が掛かるという問題があった。また、図１８に示すようなジャーナルプリンタ４０では、印字ヘッド４０ｅにより印字が行われた用紙における印字内容を操作者が確認するための確認窓がジャーナルプリンタ４０の前面側に設けられていないため、印字ヘッド４０ｅにより印字が行われた用紙における印字内容を操作者が容易に確認することができなかった。これに対し、図１７に示すようなジャーナルプリンタ３２では、このような従来のジャーナルプリンタ４０の問題点を解決することができるようになる。
【符号の説明】
【００９６】
１        有価媒体処理装置
１０      制御部
１２      第１の操作表示部
１４      第２の操作表示部
１６      第１のプリンタ
１８      第２のプリンタ
１８ａ    挿入口
２０      記憶部
２２      通信インターフェース部
３０      レシートプリンタ
３０ａ    排出口
３２      ジャーナルプリンタ
３２ａ    確認窓
３２ｂ    ロール紙
３２ｃ    搬送経路
３２ｄ    巻取ロール
３２ｅ    印字ヘッド
４０      ジャーナルプリンタ
４０ｂ    ロール紙
４０ｃ    搬送経路
４０ｄ    巻取ロール
４０ｅ    印字ヘッド
５０      外部装置
１００    バラ紙幣処理ユニット
１０２    筐体
１１０    紙幣投入部
１１２    紙幣繰出部
１１４    入金搬送部
１１６    入金識別部
１１８    表裏反転部
１２０    入金リジェクト部
１３０    一括一時保留部
１３２    金種別一時保留部
１４０    一括紙幣収納庫
１４２    金種別紙幣収納庫
１４４    紙幣繰出部
１４６    下部搬送部
１４８    出金識別部
１５０    出金搬送部
１５２    バラ紙幣投出部
１５４    出金リジェクト部
１６０    整理一時保留部
１７０    分岐部材
１８０    紙幣検出センサ
１８２    紙幣厚さ検知センサ
１８４    半券検知センサ
２００    帯封紙幣処理ユニット
２０２    筐体
２１０    アーム部
２１２    帯封部
２１４    テープセット部
２１６    帯封紙幣搬送部
２１８    帯封紙幣投出部
２２０    帯封紙幣収納出金用搬送部
２２２    帯封紙幣判別部
２２４    リフト部
２２６    開口
２３０    帯封紙幣収納カセット
２３２    カセット駆動部
３００    損券処理ユニット
３０２    筐体
３１０    投入部
３１２    繰出機構
３１４    搬送部
３１４ａ  第１の搬送部
３１４ｂ  第２の搬送部
３１４ｐ  接続箇所
３１６    撮像部
３１８    扉
３２０    一時保留部
３２０ａ  ドラム
３３０    特定有価証券収納部
３３０ａ  第１の収納部
３３０ｂ  第２の収納部
３３０ｃ  第３の収納部
３４０、３４２  損券収納部
３４２ａ  ドラム
３５０    新券収納部
３５０ａ  第１の収納部
３５０ｂ  第２の収納部
３５０ｃ  第３の収納部
３５０ｄ  第４の収納部
３５２ａ、３５２ｂ、３５２ｃ、３５２ｄ  繰出機構
３６０    投出部
３６１    抜き取り検知部
３６２    羽根車
３６４    簡易識別部
４００    バラ硬貨処理ユニット
５００    包装硬貨処理ユニット
６００    損貨処理ユニット
【図１】
0006697326.tif 000002
【図２】
0006697326.tif 000003
【図３】
0006697326.tif 000004
【図４】
0006697326.tif 000005
【図５】
0006697326.tif 000006
【図６】
0006697326.tif 000007
【図７】
0006697326.tif 000008
【図８】
0006697326.tif 000009
【図９】
0006697326.tif 000010
【図１０】
0006697326.tif 000011
【図１１】
0006697326.tif 000012
【図１２】
0006697326.tif 000013
【図１３】
0006697326.tif 000014
【図１４】
0006697326.tif 000015
【図１５】
0006697326.tif 000016
【図１６】
0006697326.tif 000017
【図１７】
0006697326.tif 000018
【図１８】
0006697326.tif 000019